(57)【特許請求の範囲】
【請求項１】
予めアドレス情報が記録されたヘッダ領域と、データを記録するデータ記録領域とからなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し前記データ記録領域へレーザパルスでデータ記録を行う光ディスク記録装置であって、
当該セクタの前記アドレスマーク部に記録されたアドレスマークを検出するアドレスマーク検出手段と、
当該セクタの前記記録データ領域へのデータ記録期間を、前記アドレスマークの検出タイミングによって決定するデータ記録決定手段と、
前記第１の記録データ非参照領域において、レーザパルスの照射パワーを決定するためのテスト記録データを生成するテスト発光パターン生成手段と、
前記記録データ参照領域に、データを記録するデータ記録手段と、を備え、
前記データ記録手段によってデータを記録する前に前記アドレスマーク検出手段によってアドレスマークの１番目から３番目のうちいずれか一つが検出できた場合は、前記テスト発光パターン生成手段において、テスト記録データを出力し、前記アドレスマーク検出手段によってアドレスマークの４番目のみが検出できた場合は、前記テスト発光パターン生成手段において、テスト記録データを出力しないものであり、
前記光ディスクは、ＤＶＤ−ＲＡＭであり、
前記第１の記録データ非参照領域は、ＧＡＰ領域であり、
前記記録データ参照領域は、ＧＵＡＲＤ１領域からＧＵＡＲＤ２領域までの領域であり、
前記第２の記録データ非参照領域は、ＢＵＦＦＥＲ領域である、
ことを特徴とする光ディスク記録装置。
【請求項２】
予めアドレス情報が記録されたヘッダ領域と、データを記録するデータ記録領域とからなるセクタ構造を有し、
前記ヘッダ領域は、複数のアドレス情報から構成され、
前記アドレス情報は、アドレス情報の始まりを示すアドレスマークが記録されたアドレスマーク部と、アドレスが記録されたアドレス部と、から構成され、
前記データ記録領域は、第１の記録データ非参照領域と、記録データ参照領域と、第２の記録データ非参照領域とから構成される光ディスクに対し、前記データ記録領域へ、レーザパルスで、データ記録を行うものであり、
当該セクタの前記アドレスマーク部に記録されたアドレスマークを、検出するアドレスマーク検出手段と、
当該セクタの前記記録データ領域へのデータ記録期間を、前記アドレスマークの検出タイミングによって決定するデータ記録決定手段と、
前記第１の記録データ非参照領域においてレーザパルスの照射パワーを決定するためのテスト記録データを生成するテスト発光パターン生成手段と、
前記記録データ参照領域に、データを記録するデータ記録手段と、を備え、
前記テスト発光パターン生成手段は、前記データ記録手段によってデータを記録する前に、前記アドレスマーク検出手段によって検出されたアドレスマークの検出状況に応じて、テスト記録データを出力するか否かを選択する、光ディスク記録装置であって、
前記テスト記録データが所定の回数続けて出力されない場合に、記録を中断するものであり、
前記光ディスクは、ＤＶＤ−ＲＡＭであり、
前記第１の記録データ非参照領域は、ＧＡＰ領域であり、
前記記録データ参照領域は、ＧＵＡＲＤ１領域からＧＵＡＲＤ２領域までの領域であり、
前記第２の記録データ非参照領域は、ＢＵＦＦＥＲ領域である、
ことを特徴とする光ディスク記録装置。
【発明の詳細な説明】
【技術分野】
【０００１】
本発明は、光ディスク記録装置、及び光ディスク記録システムに関するものである。
【背景技術】
【０００２】
図１に、一般のＤＶＤ−ＲＡＭのセクタ構造を示す。
図１に示されるように、ヘッダ領域は、１２８バイトのアドレス領域と、２バイトのミラー領域とからなり、データ記録領域は、（１０＋Ｊ／１６）バイトのギャップ領域と、（２０＋ｋ）バイトのＧＵＡＲＤ１領域と、３５バイトのデータＶＦＯ領域と、３バイトのプリシンクコード領域と、２４１８バイトのデータ領域と、１バイトのデータポストアンブル領域と、（５５−ｋ）バイトのＧＵＲＡＤ２領域と、（２５−Ｊ／１６）バイトのバッファ領域とからなる。そして、上記ヘッダ領域と、上記データ記録領域とで、１つの（２６９７バイトの）セクタが、構成されている。
【０００３】
また、上記アドレス領域は、３６バイトのＶＦＯ１領域、３バイトのＡＭ１領域、４バイトのＰＩＤ１領域、２バイトのＩＥＤ１領域、１バイトのＰＡ１領域よりなるアドレス領域１、および、以下同様の構成のアドレス領域２、アドレス領域３、アドレス領域４よりなるものである。
【０００４】
この図１に示されるＤＶＤ−ＲＡＭのセクタ構造を有する光ディスク記録装置において、ＤＶＤ−ＲＡＭで記録を実施する場合、ヘッダ部に書き込まれているアドレスマークを検出し、ヘッダ部でアドレスマークをひとつでも検出できた場合、前記アドレスマーク検出タイミングを基準に記録を実施するようにし（例えば、特許文献１）、記録を実施する際にはレーザパルスの照射パワーを決定するために、ＧＡＰ部でテスト記録データの記録（テスト発光）を実施するようにしていた（例えば、特許文献２）。
【０００５】
図３は、特許文献１に示される、従来の光ディスク記録装置１３００の構成を示すブロック図であり、図において、３０１は、光ディスク、３０２は、ディスクモータ、３０３は、光ピックアップ、３０４は、増幅器、３０５は、サーボ回路、３０６は、再生信号処理部、３１１は、アドレスマーク検出部、３１２は、復調部、３１３は、アドレス誤り検出部、３１４は、タイミング生成部、３１５は、変調部、３０７は、フォーマットエンコーダ／デコーダ、３０８は、レーザ駆動部、３１０は、システムコントローラである。
【特許文献１】国際公開第０１／００９８９０号パンフレット
【特許文献２】特開平６−２３６５７６号公報
【発明の開示】
【発明が解決しようとする課題】
【０００６】
上記のような従来の光ディスク記録装置においては、再生データは、ＰＲＭＬ処理やフィルタ処理等によって、アドレスマーク検出回路に到達するまでに遅延があり、特に、高倍速で遅延量の増大が顕著になってくる、という課題があった。
【０００７】
図２に示すように、再生データの遅延時間が増加した場合、４番目のアドレスマークを検出できるかを判断していると、４番目のアドレスマークが検出できた時点でＧＡＰ部の先頭を通過してしまっているため、この従来の方法では、ＧＡＰ部で正常にテスト発光を行うことができなかった。
【０００８】
この発明は、上記のような従来の問題点に鑑みてなされたもので、再生データの遅延時間が増加した場合にも、ＧＡＰ部で正常にテスト発光することのできる光ディスク記録装置を提供することを目的としている。
【課題を解決するための手段】
【０００９】
上記課題を解決するために、本発明に係る光ディスク記録装置は、予めアドレス情報が記録されたヘッダ領域と、データを記録するデータ記録領域とからなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行う光ディスク記録装置であって、当該セクタの前記アドレスマーク部に記録されたアドレスマークを検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域に、データを記録するデータ記録手段とを備え、前記データ記録手段によってデータを記録する前に、前記アドレスマーク検出手段によって検出されたアドレスマークの検出状況に応じて、前記テスト発光パターン生成手段において、テスト記録データを出力するか、しないかを選択する、ことを特徴とする。
【００１０】
また、本発明に係る光ディスク記録装置は、前記光ディスク記録装置において、前記光ディスクは、ＤＶＤ−ＲＡＭであり、第１の記録データ非参照領域は、ＧＡＰ領域であり、記録データ参照領域は、ＧＵＡＲＤ１領域からＧＵＡＲＤ２領域までの領域であり、第２の記録データ非参照領域は、ＢＵＦＦＥＲ領域である、ことを特徴とする。
【００１１】
また、本発明に係る光ディスク記録装置は、予めアドレス情報が記録されたヘッダ領域と、データを記録するデータ記録領域とからなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行う光ディスク記録装置であって、当該セクタの前記アドレスマーク部に記録されたアドレスマークを、検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域に、データを記録するデータ記録手段とを備え、前記テスト発光パターン生成手段は、前記データ記録手段によってデータを記録する前に、前記アドレスマーク検出手段によって検出されたアドレスマークの検出状況に応じて、テスト記録データの出力位置を遅らせる、ことを特徴とする。
【００１２】
また、本発明に係る光ディスク記録装置は、前記光ディスク記録装置において、前記テスト発光パターン生成手段は、前記テスト記録データの出力を遅らせる位置を、設定により変更できることを特徴とする。
【００１３】
また、本発明に係る光ディスク記録装置は、前記光ディスク記録装置において、前記光ディスクは、ＤＶＤ−ＲＡＭであり、第１の記録データ非参照領域は、ＧＡＰ領域であり、記録データ参照領域は、ＧＵＡＲＤ１領域からＧＵＡＲＤ２領域までの領域であり、第２の記録データ非参照領域は、ＢＵＦＦＥＲ領域である、ことを特徴とする。
【００１４】
また、本発明に係る光ディスク記録装置は、予めアドレス情報が記録されたヘッダ領域と、データを記録するデータ記録領域とからなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行う光ディスク記録装置であって、当該セクタの前記アドレスマーク部に記録されたアドレスマークを、検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域に、データを記録するデータ記録手段とを備え、前記テスト発光パターン生成手段において生成されるテスト発光パターンは、線速度によらないほぼ同じ幅で出力される、ことを特徴とする。
【００１５】
また、本発明に係る光ディスク記録装置は、前記光ディスク記録装置において、前記光ディスクは、ＤＶＤ−ＲＡＭであり、第１の記録データ非参照領域は、ＧＡＰ領域であり、記録データ参照領域は、ＧＵＡＲＤ１領域からＧＵＡＲＤ２領域までの領域であり、第２の記録データ非参照領域は、ＢＵＦＦＥＲ領域である、ことを特徴とするものである。
【００１６】
また、本発明に係る光ディスク記録装置は、予めアドレス情報が記録されたヘッダ領域と、データを記録するデータ記録領域とからなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行う光ディスク記録装置であって、前記複数のアドレス情報は、４つのアドレス情報であり、当該セクタの前記アドレスマーク部に記録されたアドレスマークを検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域に、データを記録するデータ記録手段とを備え、前記データ記録決定手段は、１番目から３番目のいずれかのアドレスマークを検出できなかった場合には、４番目のアドレスマーク検出タイミングによって前記データ記録期間を決定する、ことを特徴とする。
【００１７】
また、本発明に係る光ディスク記録装置は、前記光ディスク記録装置において、前記データ記録決定手段は、１番目から３番目のいずれかのアドレスマーク検出タイミングによって決定する、ことを特徴とする。
【００１８】
また、本発明に係る光ディスク記録装置は、前記光ディスク記録装置において、前記光ディスクは、ＤＶＤ−ＲＡＭであり、第１の記録データ非参照領域は、ＧＡＰ領域であり、記録データ参照領域は、ＧＵＡＲＤ１領域からＧＵＡＲＤ２領域までの領域であり、第２の記録データ非参照領域は、ＢＵＦＦＥＲ領域である、ことを特徴とする。
【００１９】
また、本発明に係る光ディスク記録装置は、予めアドレス情報が記録されたヘッダ領域と、データを記録するデータ記録領域とからなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行うものであり、当該セクタの前記アドレスマーク部に記録されたアドレスマークを、検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域に、データを記録するデータ記録手段とを備え、前記テスト発光パターン生成手段は、前記データ記録手段によってデータを記録する前に、前記アドレスマーク検出手段によって検出されたアドレスマークの検出状況に応じて、テスト記録データを出力するか出力しないかを選択する光ディスク記録装置であって、テスト記録データが所定の回数続けて出力されない場合に、記録を中断することを特徴とする。
【００２０】
また、本発明に係る光ディスク記録装置は、前記光ディスク装置において、前記光ディスクは、ＤＶＤ−ＲＡＭであり、前記第１の記録データ非参照領域は、ＧＡＰ領域であり、前記記録データ参照領域は、ＧＵＡＲＤ１領域からＧＵＡＲＤ２領域までの領域であり、前記第２の記録データ非参照領域は、ＢＵＦＦＥＲ領域である、ことを特徴とするものである。
【発明の効果】
【００２１】
本発明に係る光ディスク記録装置によれば、予めアドレス情報が記録されたヘッダ領域と、データを記録するデータ記録領域からなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行う光ディスク記録装置であって、当該セクタの前記アドレスマーク部に記録されたアドレスマークを、検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域に、データを記録するデータ記録手段とを備え、前記データ記録手段によってデータを記録する前に、前記アドレスマーク検出手段によって検出されたアドレスマークの検出状況に応じて、前記テスト発光パターン生成手段においてテスト記録データを出力するか、しないかを選択することより、ＤＶＤ−ＲＡＭの記録において、再生データの遅延時間が増加し、ＧＡＰ部の先頭までに４番目のアドレスマークが検出できなくなった場合においても、１番目から３番目のいずれかのアドレスマークを検出できれば、従来通りＧＡＰ部でテスト発光を実施した後に通常のデータ記録を実施できる。
【００２２】
また、４番目のアドレスマークのみを検出できれば、通常のデータ記録のみを実施できる。
よって、通常のデータ記録においては、４つのアドレスマークのうちの一つでもこれを検出できれば、通常のデータ記録を実施でき、従来に比し、記録が失敗する確率が上昇してしまうことはない。
【００２３】
また、記録するセクタの先頭で、セクタ毎のレーザパワー制御をできなくなる場合があるが、このような場合にも、レーザの特性が数セクタの期間で変動することはないため、記録性能の劣化を発生させることなく、ＤＶＤ−ＲＡＭの記録を実施することができる。
【００２４】
また、本発明に係る光ディスク記録装置によれば、予めアドレス情報が記録されたヘッダ領域と、データを記録するデータ記録領域とからなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行う光ディスク記録装置であって、当該セクタの前記アドレスマーク部に記録されたアドレスマークを、検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域に、データを記録するデータ記録手段を備え、前記データ記録手段によってデータを記録する前に、前記アドレスマーク検出手段によって検出されたアドレスマークの検出状況に応じて、前記テスト発光パターン生成手段においてテスト記録データ出力位置を遅らせることより、ＤＶＤ−ＲＡＭの記録において再生データの遅延時間が増加し、ＧＡＰ部の先頭までに４番目のアドレスマークを検出できなくなった場合においても、１番目から３番目のいずれかのアドレスマークを検出することができれば、従来通りＧＡＰ部でテスト発光を実施した後に通常のデータ記録を実施することができる。
【００２５】
また、４番目のアドレスマークのみを検出することができれば、テスト発光を通常より遅らせた位置で実施した後に、通常のデータ記録のみを実施することができる。
そのため、従来に比べて性能を落とすことなく、ＤＶＤ−ＲＡＭの記録を実施することができる効果がある。
【００２６】
また、本発明に係る光ディスク記録装置によれば、予めアドレス情報が記録されたヘッダ領域と、データを記録するデータ記録領域からなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行う光ディスク記録装置であって、当該セクタの前記アドレスマーク部に記録されたアドレスマークを検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域に、データを記録するデータ記録手段を備え、前記テスト発光パターン生成手段において生成されるテスト発光パターンは、線速度によらないほぼ同じ幅で出力されることより、ＣＡＶ記録等において、線速度が一定でない記録においても、常にほぼ同じ精度で、レーザパワー学習を実施することができる効果がある。
【００２７】
また、本発明に係る光ディスク記録装置によれば、予めアドレス情報が記録されたヘッダ領域と、データを記録するデータ記録領域とからなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行う光ディスク記録装置であって、前記複数のアドレス情報は、４つのアドレス情報であり、当該セクタの前記アドレスマーク部に記録されたアドレスマークを、検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域にデータを記録するデータ記録手段とを備え、前記データ記録決定手段は、１番目から３番目のいずれかのアドレスマークが検出できた場合は、４番目のアドレスマーク検出タイミングによって決定しないことより、ＧＡＰ部においてテスト発光を実施した後に、通常のデータ記録を実施するＤＶＤ−ＲＡＭの記録において、再生データの遅延時間が増加し、ＧＡＰ部の先頭までに４番目のアドレスマークが検出できなくなった場合においても、１番目から３番目のいずれかのアドレスマークが検出できたときには、４番目のアドレスマーク検出によってテスト発光処理に悪影響を与えることなく、ＧＡＰ部においてテスト発光を実施した後に、通常のデータ記録を実施するＤＶＤ−ＲＡＭの記録を、実施することができる。
【００２８】
また、本発明に係る光ディスク記録システムによれば、予めアドレス情報が記録されたヘッダ領域と、データを記録するデータ記録領域とからなるセクタ構造を有し、前記ヘッダ領域は、複数のアドレス情報から構成され、前記アドレス情報は、アドレス情報の始まりを示すアドレスマークが記録されたアドレスマーク部と、アドレスが記録されたアドレス部とから構成され、前記データ記録領域は、第１の記録データ非参照領域と、記録データ参照領域と、第２の記録データ非参照領域とから構成される光ディスクに対し、前記データ記録領域へ、レーザパルスで、データ記録を行うものであり、当該セクタの前記アドレスマーク部に記録されたアドレスマークを、検出するアドレスマーク検出手段と、当該セクタの前記記録データ領域へのデータ記録期間を、前記アドレスマークの検出タイミングによって決定するデータ記録決定手段と、前記第１の記録データ非参照領域において、レーザパルスの照射パワーを決定するためのテスト記録データを生成するテスト発光パターン生成手段と、前記記録データ参照領域に、データを記録するデータ記録手段とを備え、前記テスト発光パターン生成手段は、前記データ記録手段によってデータを記録する前に、前記アドレスマーク検出手段によって検出されたアドレスマークの検出状況に応じて、テスト記録データを出力するか、しないかを選択する光ディスク記録装置を有し、テスト記録データが所定の回数続けて出力されない場合に、記録を中断することより、レーザパワーの制御を正しくできていないまま、ＤＶＤ−ＲＡＭの記録を実施することを防ぐことができる効果がある。
【発明を実施するための最良の形態】
【００２９】
（実施の形態１）
以下、本発明の実施の形態１による光ディスク記録装置について、説明する。
図４は、本発明の実施の形態１による光ディスク記録装置１０００の構成を示すブロック図であり、本実施の形態１による光ディスク記録装置１０００は、アドレスマークＡＭ１〜ＡＭ３が読めた場合は、テスト発光＋通常記録を行い、アドレスマークＡＭ４のみが読めた場合は、通常記録のみを行うようにしたものである。
【００３０】
図４において、光ディスク４０１から変調部４１５までの各構成要素は、図３に示す、特許文献１において開示された光ディスク記録装置１３００における光ディスク３０１から変調部３１５までの各構成要素と同じものである。
【００３１】
アドレスマーク検出状況判定部４１６は、アドレスマーク検出部４１１によって検出されるアドレスマークの検出信号ＡＭＤＥＴ（４１１ａ）と、タイミング生成部４１４で生成されるアドレスマーク検出ウィンドウＡＭＷＩＮ（４１４ａ）とによって、現在のセクタのアドレスマーク検出状況を判断し、テスト記録データ生成部４１７に、アドレスマーク検出状況を示す信号ＡＭＯＫＦＬＧ（４１６ａ）を出力する。
【００３２】
テスト記録データ生成部４１７は、タイミング生成部４１４から出力されるタイミング信号４１４ｂによってテスト発光領域の位置を決定し、アドレスマーク検出状況判定部４１６から出力されるアドレスマーク検出状況信号ＡＭＯＫＦＬＧ（４１６ａ）によって、テスト記録データを出力するか否かを決定し、テスト記録データＴＳＴ＿ＷＴＤＴ（４１７ａ）を、レーザ駆動制御部４０８に出力する。
【００３３】
また、アドレスマーク検出部４１１は、タイミング生成部４１４に対しても、アドレスマーク検出信号４１１ｂを出力するものであり、アドレスマーク検出状況判定部４１６は、タイミング生成部４１４に対しても、アドレスマーク検出状況信号４１６ｂを出力するものである。また、タイミング生成部４１４は、アドレス誤り検出部４１３からのデータ４１４ｄを、変調部４１５に対し出力するものであり、かつ、レーザ駆動部４０８に対し、データの記録位置を示すＷＴＧＴ信号（４１４ｃ）を、出力するものである。
【００３４】
次に、本実施の形態１による光ディスク記録装置１０００の動作を、光ディスクがＤＶＤ−ＲＡＭである場合について説明する。
図５および図６は、本実施の形態１による光ディスク記録装置１０００の動作を示すタイミングチャート図であり、図５は、本実施の形態１において、１番目から３番目のいずれかのアドレスマークＡＭ１〜ＡＭ３が検出できた場合のタイミングチャート図であり、図６は、４番目のアドレスマークＡＭ４のみを検出できた場合のタイミングチャート図である。
【００３５】
アドレスマーク検出部４１１から出力されるアドレスマーク検出信号ＡＭＤＥＴ（４１１ａ）と、タイミング生成部４１４から出力されるアドレスマーク検出ウィンドウＡＭＷＩＮ（４１４ａ）とを用いて、アドレスマーク検出状況判定部４１６は、現在のセクタのアドレスマーク検出状況を判定し、１番目から３番目のアドレスマークＡＭ１、ＡＭ２、ＡＭ３のいずれかを検出できた場合は、前記アドレスマーク検出状況信号ＡＭＯＫＦＬＧ（４１６ａ）を１に、４番目のアドレスマークＡＭ４のみを検出できた場合、もしくはアドレスマークを一つも検出できなかった場合は、前記アドレスマーク検出状況信号ＡＭＯＫＦＬＧ（４１６ａ）を０にして、テスト記録データ生成部４１７に出力する。
【００３６】
なおここで、アドレスマーク検出ウィンドウＡＭＷＩＮ（４１４ａ）は、図３に示される、特許文献１におけると同様に、タイミング生成部４１４により、アドレスマーク検出信号ＡＭＤＥＴ（４１１ｂ）やアドレス検出信号（誤りがなかった場合）によってカウンタ値を補正されるセクタ同期カウンタの値を、デコードして生成される。
【００３７】
データの記録位置を示すための信号ＷＴＧＴ（４１４ｃ）は、タイミング生成部４１４において、アドレスマーク検出ウィンドウＡＭＷＩＮ（４１４ａ）と同様に、セクタ同期カウンタの値をデコードして生成されるが、前記記録位置を示すＷＴＧＴ信号（４１４ｃ）は、アドレスマーク検出状況判定部４１６から出力されるアドレスマーク検出状況信号ＡＭＯＫＦＬＧ（４１６ｂ）が１の場合は、テスト発光を実施する領域であるＧＡＰ部の先頭付近から出力され、レーザ駆動部４０８に印加される。
【００３８】
一方、ＡＭＯＫＦＬＧ（４１６ｂ）が０の場合は、前記タイミング生成部４１４は、前記ＷＴＧＴ信号（４１４ｃ）の立ち上がり位置を決定するセクタ同期カウンタのデコード値を変更することで、前記記録位置を示すＷＴＧＴ信号（４１４ｃ）を、通常記録を実施するＧＵＡＲＤ１部の先頭付近より出力する。
【００３９】
テスト記録データ生成部４１７より出力されるＴＳＴ＿ＷＴＤＴ（４１７ａ）は、アドレスマーク検出状況判定部４１６から出力されるアドレスマーク検出状況信号ＡＭＯＫＦＬＧ（４１６ａ）が１の場合は、例えば、図４に示すシステムコントローラ４１０などの設定手段によって予め決められたテスト発光用のテスト記録データＴＳＴ＿ＷＴＤＴ（４１７ａ）を、前記データの記録位置を示すＷＴＧＴ信号（４１４ｃ）と同様に、タイミング生成部４１４のセクタ同期カウンタ値をデコードして出力されるタイミング信号（４１４ｂ）を用いて、上記設定手段において決定された位置に、出力する。
【００４０】
一方、テスト記録データ生成部４１７は、ＡＭＯＫＦＬＧ（４１６ａ）が０の場合は、何も出力しない。
【００４１】
以上のように本実施の形態１による光ディスク記録装置１０００によれば、ＤＶＤ−ＲＡＭの記録を行う場合において、再生データの遅延時間が増加し、ＧＡＰ部の先頭までに４番目のアドレスマークが検出できなくなることがあり得る場合において、１番目から３番目のいずれかのアドレスマークを検出できた時には、アドレスマーク検出状況判定部４１６で現在のアドレスマーク検出状況を判断してＡＭＯＫＦＬＧを１にし、従来におけると同様にＧＡＰ部テスト発光を実施した後に、ＧＵＡＲＤ１より通常のデータ記録を実施することができる。
【００４２】
また、４番目のアドレスマークのみを検出できた時は、アドレスマーク検出状況判定部４１６で現在のアドレスマーク検出状況を判断してＡＭＯＫＦＬＧを０にし、ＧＡＰ部でテスト発光を実施することなく、ＧＵＡＲＤ１より、通常のデータの記録のみを実施するようにすることができる。
【００４３】
そのため、４つのアドレスマークの内の一つでもこれを検出できれば、通常のデータの記録を実施することができ、従来におけるように、記録が失敗する確率が上昇してしまうということがなくなる効果が得られる。
【００４４】
また、本実施の形態１においては、記録するセクタの先頭においてセクタ毎のレーザパワーの制御を行うことはできなくなるが、レーザの特性が数セクタの期間で変動することはないので、これが記録性能の劣化を生じさせることもなく、ＤＶＤ−ＲＡＭの記録を確実に実施することができる。
【００４５】
（実施の形態２）
以下、本発明の実施の形態２による光ディスク記録装置について、説明する。
本発明の実施の形態２による光ディスク記録装置２０００の構成は、図４に示される前記実施の形態１のそれと同じであり、本実施の形態２による光ディスク記録装置２０００は、アドレスマークＡＭ１〜ＡＭ３が読めた場合は、テスト発光＋通常記録を行い、アドレスマークＡＭ４のみが読めた場合は、テスト発光を遅らせてテスト発光を実施した後、通常記録を行うようにしたものである。
【００４６】
すなわち、図４の構成において、光ディスク４０１から変調部４１５までは、図３に示す、特許文献１において開示された光ディスク記録装置３００における光ディスク３０１から変調部３１５までの各構成要素と同じであり、アドレスマーク検出状況判定部４１６は、アドレスマーク検出部４１１によって検出されるアドレスマークの検出信号４１１ａと、タイミング生成部４１４で生成されるアドレスマーク検出ウィンドウ４１４ａとによって、現在のセクタのアドレスマーク検出状況を判断し、テスト記録データ生成部４１７に、アドレスマーク検出状況を示す信号４１６ａを出力するものであり、テスト記録データ生成部４１７は、タイミング生成部４１４から出力されるタイミング信号４１４ｂによってテスト発光領域を決定し、アドレスマーク検出状況判定部４１６から出力されるアドレスマーク検出状況４１６ａによってテスト記録データの出力を通常より遅らせるか否かを決定し、テスト記録データ４１７ａを、レーザ駆動部４０８に出力するものである。
【００４７】
また、アドレスマーク検出部４１１は、タイミング生成部４１４に対しても、アドレスマーク検出信号４１１ｂを出力するものであり、アドレスマーク検出状況判定部４１６は、タイミング生成部４１４に対しても、アドレスマーク検出状況信号４１６ｂを出力するものである。また、タイミング生成部４１４は、アドレス誤り検出部４１３からのデータ４１４ｄを、変調部４１５に対し出力するものであり、かつ、レーザ駆動部４０８に対し、データの記録位置を示すＷＴＧＴ信号（４１４ｃ）を、出力するものである。
【００４８】
次に、本実施の形態２による光ディスク記録装置２０００の動作を、光ディスクがＤＶＤ−ＲＡＭである場合について説明する。
図５および図７は、本実施の形態２による光ディスク記録装置２０００の動作を示すタイミングチャート図であり、図５は、本実施の形態２と、前記実施の形態１と共通である、１番目から３番目のいずれかのアドレスマークを検出できた場合のタイミングチャート図であり、図７は、本実施の形態２において、４番目のアドレスマークのみを検出できた場合のタイミングチャート図である。
【００４９】
本実施の形態２において、アドレスマーク検出部４１１から出力されるアドレスマーク検出信号ＡＭＤＥＴ（４１１ａ）と、タイミング生成部４１４から出力されるアドレスマーク検出ウィンドウＡＭＷＩＮ（４１４ａ）とを用いて、アドレスマーク検出状況判定部４１６は、現在のセクタのアドレスマーク検出状況を判定し、１番目から３番目のアドレスマークＡＭ１、ＡＭ２、ＡＭ３のいずれかが検出できた場合は、アドレスマーク検出状況信号ＡＭＯＫＦＬＧ（４１６ａ）を１にし、４番目のアドレスマークＡＭ４のみを検出した場合、もしくはアドレスマークを一つも検出できなかった場合は、アドレスマーク検出状況信号ＡＭＯＫＦＬＧ（４１６ａ）を０にし、それぞれ出力する。
【００５０】
ここで、アドレスマーク検出ウィンドウＡＭＷＩＮ（４１４ａ）は、図３に示される、特許文献１におけると同様に、タイミング生成部４１４により、アドレスマーク検出信号ＡＭＤＥＴ（４１１ｂ）やアドレス検出信号（誤りがなかった場合）によってカウンタ値を補正されるセクタ同期カウンタの値を、デコードして生成される。
【００５１】
データの記録位置を示すための信号ＷＴＧＴ（４１４ｃ）は、タイミング生成部４１４において、アドレスマーク検出ウィンドウＡＭＷＩＮ（４１４ａ）と同様に、セクタ同期カウンタの値をデコードして生成される。前記ＷＴＧＴ信号（４１４ｃ）は、アドレスマーク検出状況判定部４１６から出力されるアドレスマーク検出状況信号ＡＭＯＫＦＬＧ（４１６ｂ）が１の場合は、テスト発光を実施する領域であるＧＡＰ部の先頭付近から出力する。
【００５２】
一方、ＡＭＯＫＦＬＧ（４１６ｂ）が０の場合は、前記タイミング生成部４１４は、前記ＷＴＧＴ信号（４１４ｃ）の立ち上がり位置を決定するセクタ同期カウンタのデコード値を、例えば、図４に示すシステムコントローラ４１０などの設定手段によって予め決められた値に変更することで、前記信号ＷＴＧＴ（４１４ｃ）は、前記ＡＭＯＫＦＬＧが１の時より遅らされて出力される。
【００５３】
テスト記録データ生成部４１７より出力されるＴＳＴ＿ＷＴＤＴ（４１７ａ）は、アドレスマーク検出状況判定部４１６から出力されるアドレスマーク検出状況信号ＡＭＯＫＦＬＧ（４１６ａ）が１の場合は、システムコントローラ４１０などの設定手段によって予め決められたテスト発光用のテスト記録データＴＳＴ＿ＷＴＤＴ（４１７ａ）を、前記ＷＴＧＴ信号（４１４ｃ）と同様に、タイミング生成部４１４のセクタ同期カウンタ値をデコードして出力されるタイミング信号（４１４ｂ）を用いて、設定手段によって予め決められた位置に出力する。
【００５４】
ＡＭＯＫＦＬＧが０の場合は、セクタ同期カウンタのデコード値を、設定手段によって予め決められた値に変更することで、前記ＴＳＴ＿ＷＴＤＴ（４１７ａ）は、ＡＭＯＫＦＬＧが１の時より、出力位置を遅らされて出力される。
【００５５】
以上のように、本実施の形態２による光ディスク記録装置２０００によれば、ＤＶＤ−ＲＡＭの記録を行う場合において、再生データの遅延時間が増加し、ＧＡＰ部の先頭までに４番目のアドレスマークが検出できなくなることがあり得る場合であっても、１番目から３番目のいずれかのアドレスマークが検出できた時は、アドレスマーク検出状況判定部４１６で現在のアドレスマーク検出状況を判断してＡＭＯＫＦＬＧを１にするようにして、従来と同様に、ＧＡＰ部テスト発光を実施した後に、ＧＵＡＲＤ１より通常のデータ記録を実施し、一方、４番目のアドレスマークのみを検出できた時には、アドレスマーク検出状況判定部４１６において現在のアドレスマーク検出状況を判断してＡＭＯＫＦＬＧを０にするようにして、ＧＡＰ部で通常出力する位置よりテスト発光を遅らせて実施した後に、ＧＵＡＲＤ１より通常のデータ記録を実施するようにすることができ、従来と同様の記録性能でもって、ＤＶＤ−ＲＡＭの記録を実施することができる装置を得ることができる。
【００５６】
（実施の形態３）
以下、本発明の実施の形態３による光ディスク記録装置について、説明する。
図８は、本発明の実施の形態３による光ディスク記録装置３０００の構成を示すブロック図であり、本実施の形態３による光ディスク記録装置３０００は、テスト発光の幅を、線速度によらず、一定に保つようにしたものである。
【００５７】
図８に示される本実施の形態３における、光ディスク８０１から変調部８１５までの各構成要素は、図３に示す、特許文献１において開示された光ディスク記録装置１３００におけると同じ構成である。
【００５８】
本実施の形態３においては、テスト記録データ生成部８１６は、タイミング生成部８１４から出力されるタイミング信号８１４ａによってテスト発光領域を決定し、例えば、図８に示すシステムコントローラ８１０などの設定手段によって予め決められた幅で、テスト記録データ８１６ａを、レーザ駆動制御部８０８に出力する。
【００５９】
また、タイミング生成部８１４は、レーザ駆動部８０８に対して、データの記録位置信号ＷＴＧＴ（８１４ｃ）を出力する。
【００６０】
次に、本実施の形態３による光ディスク記録装置３０００の動作を、光ディスクがＤＶＤ−ＲＡＭである場合について説明する。
図９は、本実施の形態３による光ディスク記録装置３０００の動作を示すタイミングチャート図である。
【００６１】
テスト記録データ生成部８１６より出力されるＴＳＴ＿ＷＴＤＴ（８１６ａ）は、タイミング生成部８１４よりセクタ同期カウンタの値をデコードして出力されるタイミング信号８１４ａによって、テスト発光領域を決定し、上記システムコントローラなどの設定手段によって予め決められた設定値ａ、ｂ、ｃと、線速度とによって決まるＡ、Ｂ、Ｃ（Ａ、Ｂ、Ｃは、それぞれ、設定値ａ×線速度追従クロック周波数、設定値ｂ×線速度追従クロック周波数、設定値ｃ×線速度追従クロック周波数）の時間幅に応じて、テスト記録データ（８１６ａ）を出力する。
【００６２】
タイミング生成部８１４内のセクタ同期カウンタは、特許文献１におけるものと同様に、アドレスマーク検出信号ＡＭＤＥＴ（８１１ａ）や、アドレス検出信号（誤りがなかった場合）によって、カウンタ値を補正されるカウンタである。
【００６３】
本実施の形態３においては、テスト記録データの時間幅Ａ、Ｂ、Ｃは、設定値と、線速度とによって決まるようにしている。例えば、現在の線速度に比例した値Ｖを、一定の間隔で取得し、
ａ＝α・Ａ・Ｖ
ｂ＝α・Ｂ・Ｖ
ｃ＝α・Ｃ・Ｖ
に相当する演算を行い（但しαは定数）、出力したい時間幅に近くなる設定値ａ、ｂ、ｃを求めて設定することにより、ＣＡＶ記録等において線速度が一定でない記録においても、常にほぼ同じ精度で、レーザパワー学習を実施することができる。
【００６４】
なお、線速度に比例する値Ｖを取得する代わりに、線速度に反比例する値Ｔを取得し、
ａ＝α・Ａ／Ｔ
ｂ＝α・Ｂ／Ｔ
ｃ＝α・Ｃ／Ｔ
に相当する演算を行なって、ａ、ｂ、ｃを求めるようにしてもよい。
【００６５】
また、上記実施の形態３では、テスト記録データの生成に用いるクロックは、線速度に追従するクロックとしたが、線速度に追従しない固定クロックでテスト記録データの生成を行うようにしてもよく、この場合は、線速度に対して設定値を変更することなく、本実施の形態３において目的とする効果を得ることができる。
【００６６】
このような本実施の形態３による光ディスク記録装置３０００によれば、テスト記録データ生成部８１６は、タイミング生成部８１４から出力されるタイミング信号８１４ａによってテスト発光領域を決定し、例えば、図８に示すシステムコントローラ８１０などの設定手段によって予め決められた幅で、テスト記録データ８１６ａをレーザ駆動制御部８０８に出力し、テスト記録データ生成部８１６より出力されるＴＳＴ＿ＷＴＤＴ（８１６ａ）は、タイミング生成部８１４よりセクタ同期カウンタの値をデコードして出力されるタイミング信号によって、テスト発光領域を決定し、上記システムコントローラなどの設定手段によって予め決められた設定値ａ、ｂ、ｃと、線速度とによって決まるＡ、Ｂ、Ｃの時間幅に応じて、テスト記録データ（８１６ａ）を出力し、タイミング生成部８１４内のセクタ同期カウンタは、アドレスマーク検出信号ＡＭＤＥＴ（８１１ａ）や、アドレス検出信号（誤りがなかった場合）によって、カウンタ値を補正するようにし、テスト記録データの時間幅Ａ、Ｂ、Ｃは、設定値と線速度とによって決まるようにしたので、ＣＡＶ記録等において線速度が一定でない記録においても、常にほぼ同じ精度でレーザパワー学習を実施することができる効果が得られる。
【００６７】
（実施の形態４）
本発明の実施の形態４による光ディスク記録装置４０００の構成図は、図４の、前記実施の形態１、２による光ディスク記録装置１０００，２０００の構成図と同じであり、本実施の形態４は、セクタ中の位置を示すカウンタの補正を、アドレスマークＡＭ１〜ＡＭ３が読めた場合には、アドレスマークＡＭ４では行わないようにしたものである。
【００６８】
上述したように、図４における光ディスク４０１から変調部４１５までは、図３に示す特許文献１に開示された光ディスク記録装置１３００における光ディスク３０１から変調部３１５までの各構成要素と同じものである。
【００６９】
アドレスマーク検出状況判定部４１６は、アドレスマーク検出部４１１によって検出されるアドレスマーク検出信号４１１ａと、タイミング生成部４１４で生成させるアドレスマーク検出ウィンドウ４１４ａとによって、現在のセクタのアドレスマーク検出状況を判断して、アドレスマーク検出部４１１よりタイミング生成部４１４に出力されるアドレスマーク検出信号４１１ｂをマスクするか否かを決定し、タイミング生成部４１４にアドレスマーク検出マスク後の信号を出力する。
【００７０】
また、テスト記録データ生成部４１７は、タイミング生成部４１４より出力される、特許文献１におけると同様のセクタ同期カウンタを使用し、カウンタ値をデコードして出力されるタイミング信号を基準に、テスト記録データ４１７ａを生成する。
【００７１】
次に、本実施の形態４による光ディスク記録装置４０００の動作を、光ディスクがＤＶＤ−ＲＡＭである場合について説明する。
図１０および図１１は、本実施の形態４による光ディスク記録装置４０００の動作を示すタイミングチャート図であり、図１０は１番目から３番目のいずれかのアドレスマークが検出できた場合、図１１は４番目のアドレスマークのみ検出できた場合のタイミングチャート図である。
【００７２】
図１０に示されるように、１番目から３番目のいずれかのアドレスマークが検出できた場合には、４番目のアドレスマークを検出した際に出力するＡＭＤＥＴ信号（４１１ｂ）をマスクするＡＭ４ＭＳＫ信号を１に、図１１に示されるように、４番目のアドレスマークのみ検出もしくはアドレスマークを１つも検出できなかった場合は、前記ＡＭ４ＭＳＫ信号を０にし、セクタ終了付近では０にクリアされる信号によって、ＡＭＤＥＴ信号（４１１ｂ）をマスクした信号ＡＭＤＥＴ＿ＭＳＫを、タイミング生成部４１４に出力する。
【００７３】
また、前記ＡＭ４ＭＳＫ信号を、例えば、図４におけるシステムコントローラ４１０などの設定手段により、常に１にすることで、１番目から３番目までのアドレスマーク検出状況にかかわらず、マスクする構成をとることもできる。
【００７４】
このような本実施の形態４では、ＤＶＤ−ＲＡＭの記録を行う際、再生データの遅延時間が増加して、ＧＡＰ部の先頭までに４番目のアドレスマークが検出できなくなる場合、従来であれば、ＧＡＰ部の先頭からアドレスマーク検出タイミングによって補正させるセクタ同期カウンタを用いて、前記実施の形態１におけるテスト発光などを行うと、テスト発光を実施しているときに４番目アドレスマーク検出によって、基準となるカウンタが補正される状況が発生し、予定したテスト発光が正しく行うことができなくなってしまう。具体的には、テスト発光期間が設定した期間と異なってしまうことや、テスト発光用のパルスが欠けてしまうこと、などが発生する。
【００７５】
しかしながら、本実施の形態４では、１番目から３番目のいずれかのアドレスマークが検出できた時には、４番目のアドレスマークの検出によって基準となるセクタ同期カウンタを補正するということをしないことで、テスト発光の期間において、上記したような異常な状態が発生することがなくなり、正しくテスト発光を行うことができる。
【００７６】
（実施の形態５）
図１２は、本発明の実施の形態５による光ディスク記録システム５０００の動作フローを示すフローチャート図であり、本実施の形態５による光ディスク記録システム５０００は、連続してテスト発光ができない場合には、記録を異常終了するようにしたものである。
【００７７】
以下に、本実施の形態５による光ディスク記録システム５０００の動作を、光ディスクがＤＶＤ−ＲＡＭである場合について説明する。
記録が開始され、まずはＧＡＰ部でテスト発光が実施されたかどうか判定する（ステップＳ１２０１）。
【００７８】
正しくテスト発光が実施されれば、そのまま通常記録を実施する（ステップＳ１２０２）。
その後、ＤＶＤ−ＲＡＭ記録は、セクタ完結なので、次のセクタも、記録を実施するかどうかを決定し（ステップＳ１２０３）、続けて、記録を実施する場合は、図１２のフローチャート図に示すフローの先頭（ステップＳ１２０１の前）に戻り、記録を実施しない場合は、記録を正常終了する（ステップＳ１２０４）。
【００７９】
ＧＡＰ部で、テスト発光が実施されなければ、テスト発光が所定回数以上連続で非実施の状態かを判定し（ステップＳ１２０５）、所定回数以上連続で非実施の場合は、記録を異常終了し（ステップＳ１２０６）、そうでない場合は、ＧＡＰ部でテスト発光が実施された場合と同様に通常記録を実施し、次セクタ記録の判定に進む（ステップＳ１２０１の、前に進む）。
【００８０】
本実施の形態５による光ディスク記録装置５０００にでは、記録が開始され、まずはＧＡＰ部でテスト発光が実施されたかどうかを判定し、正しくテスト発光が実施されればそのまま通常記録を実施し、その後に、ＤＶＤ−ＲＡＭ記録はセクタ完結なので、次のセクタも記録を実施するかどうかを決定し、続けて、記録を実施する場合は図１２のフローチャート図に示すフローの先頭に戻り、記録を実施しない場合は正常終了し、ＧＡＰ部でテスト発光が実施されなければ、テスト発光が所定回数以上連続で非実施の状態かを判定し、所定回数以上連続で非実施の場合は記録を異常終了し、そうでない場合は、ＧＡＰ部でテスト発光が実施された場合と同様に通常記録を実施し、次セクタ記録の判定に進む。（ステップＳ１２０５）。
【００８１】
このような本実施の形態５によれば、上記のような構成とすることにより、本実施の形態１に示すようなアドレスマークの検出状況に応じて、テスト発光を実施しない場合がある光ディスク記録システムにおいて、レーザパワーの制御が正しくできていないまま、ＤＶＤ−ＲＡＭの記録を実施することを防ぐことができる。
【００８２】
なお、判定する連続非実施回数は、レーザ特性の変動が記録品質の許容範囲に収まるように決定するようにするのがよい。
【産業上の利用可能性】
【００８３】
本発明による光ディスク記録装置は、そのＤＶＤ−ＲＡＭ記録動作において、再生データの遅延が増加した際にも、記録性能を劣化させずに記録を実施することができるものであり、光ディスク記録装置に用いて有用である。
【図面の簡単な説明】
【００８４】
【図１】図１は、一般のＤＶＤ−ＲＡＭのセクタ構造図である。
【図２】図２は、ＤＶＤ−ＲＡＭの再生において、従来までの再生データと、再生データの遅延時間が増加した場合を示したタイミングチャート図である。
【図３】図３は、特許文献１に示される、従来の光ディスク記録装置１３００の構成を示すブロック図である。
【図４】図４は、本発明の実施の形態１、２、４による光ディスク記録装置１０００，２０００，４０００の構成を示すブロック図である。
【図５】図５は、本発明の実施の形態１による光ディスク記録装置１０００におけるＤＶＤ−ＲＡＭ記録において、１番目から３番目のいずれかのアドレスマークが検出できた場合の流れを示したタイミングチャート図である。
【図６】図６は、本発明の実施の形態１による光ディスク記録装置１０００におけるＤＶＤ−ＲＡＭ記録において、４番目のアドレスマークのみを検出できた場合の流れを示したタイミングチャート図である。
【図７】図７は、本発明の実施の形態２による光ディスク記録装置２０００におけるＤＶＤ−ＲＡＭ記録において、１番目から３番目のいずれかのアドレスマークが検出できた場合の流れを示したタイミングチャート図である。
【図８】図８は、本発明の実施の形態３による光ディスク記録装置３０００の構成を示すブロック図である。
【図９】図９は、本発明の実施の形態３による光ディスク記録装置３０００におけるＤＶＤ−ＲＡＭ記録の流れを示したタイミングチャート図である。
【図１０】図１０は、本発明の実施の形態４による光ディスク記録装置４０００におけるＤＶＤ−ＲＡＭ記録において、１番目から３番目のいずれかのアドレスマークが検出できた場合の流れを示したタイミングチャート図である。
【図１１】図１１は、本発明の実施の形態４による光ディスク記録装置４０００におけるＤＶＤ−ＲＡＭ記録において、４番目のアドレスマークのみを検出できた場合の流れを示したタイミングチャート図である。
【図１２】図１２は、本発明の実施の形態５による光ディスク記録システム５０００の動作フローを示すフローチャート図である。
【符号の説明】
【００８５】
３０１，４０１，８０１  光ディスク
３０２，４０２，８０２  ディスクモータ
３０３，４０３，８０３  光ピックアップ
３０４，４０４，８０４  増幅器
３０５，４０５，８０５  サーボ回路
３０６，４０６，８０６  再生信号処理部
３０７，４０７，８０７  フォーマットエンコーダ／デコーダ
３０８，４０８，８０８  レーザ駆動部
３０９，４０９，８０９  ホストインターフェース
３１０，４１０，８１０  システムコントローラ
３１１，４１１，８１１  アドレスマーク検出部
３１２，４１２，８１２  復調部
３１３，４１３，８１３  アドレス誤り検出部
３１４，４１４，８１４  タイミング生成部
３１５，４１５，８１５  変調部
４１６  アドレスマーク検出状況判断部
４１７，８１６  テスト記録データ生成部
【図１】
0004544644.tif 000002
【図２】
0004544644.tif 000003
【図３】
0004544644.tif 000004
【図４】
0004544644.tif 000005
【図５】
0004544644.tif 000006
【図６】
0004544644.tif 000007
【図７】
0004544644.tif 000008
【図８】
0004544644.tif 000009
【図９】
0004544644.tif 000010
【図１０】
0004544644.tif 000011
【図１１】
0004544644.tif 000012
【図１２】
0004544644.tif 000013